(57)【要約】【課題】  遊技客側が所持している携帯電話の機能を利用して呼び出しランプから遊技に関する遊技台情報を入手することを可能とし、また遊技店側も遊技者の所持している携帯電話により個人情報を入手することを可能にした遊技者、遊技店相互に伝送する遊技台情報提供装置を提供する。【解決手段】  遊技台毎に設置された呼び出しランプの表示本体装置に表示部とＱＲボタンとＣＣＤカメラが設けられ、該表示部に表示される遊技に関する各種情報を、遊技者が所持している携帯電話に伝送する遊技台情報提供装置であって、表示部に遊技に関する各種情報を二次元コードにより作成した遊技台情報を表示し、遊技者がカメラ付携帯電話の読取操作部を操作することによって、遊技台情報が携帯電話の制御部に伝送して記憶する、構成とした。【選択図】      図２
2005185604.tif 000002
【特許請求の範囲】
【請求項１】
遊技島に設置された呼び出しランプの表示部に、遊技台に関する各種情報を二次元コードにより作成して前記表示部に表示する、構成としたことを特徴とする呼び出しランプと携帯電話相互に伝送する遊技台情報提供装置。
【請求項２】
遊技台毎に設置された呼び出しランプの表示本体装置に表示部とＱＲボタンとＣＣＤカメラが設けられ、該表示部に表示される遊技台に関する各種情報を、遊技者が所持している携帯電話に伝送する遊技台情報提供装置であって、
前記表示部に、遊技台に関する各種情報を二次元コードにより作成した遊技台情報を表示し、遊技者がカメラ付携帯電話の読取操作部を操作することによって、遊技台情報が携帯電話の制御部に伝送して記憶する、構成としたことを特徴とする呼び出しランプと携帯電話相互に伝送する遊技台情報提供装置。
【請求項３】
遊技台毎に設置された呼び出しランプの近接した位置に、該呼び出しランプと接続した小型端末装置を設け、該小型端末装置は表示部とＱＲボタンとＣＣＤカメラが設けられ、該表示部に表示される遊技台に関する各種情報を、遊技者が所持している携帯電話に伝送する遊技台情報提供装置であって、
前記表示部に、遊技台に関する各種情報を二次元コードにより作成した遊技台情報を表示し、遊技者がカメラ付携帯電話の読取操作部を操作することによって、遊技台情報が携帯電話の制御部に伝送して記憶する、構成としたことを特徴とする小型端末装置と携帯電話相互に伝送する遊技台情報提供装置。
【請求項４】
前記呼び出しランプの表示本体装置若しくは前記小型端末装置にＣＣＤカメラを設け、該ＣＣＤカメラによって遊技者が所持している携帯電話の個人情報を、表示本体装置若しくは小型端末装置の制御部に伝送する、構成としたことを特徴とする請求項２又は請求項３に記載の呼び出しランプ若しくは小型端末装置と携帯電話相互に伝送する遊技台情報提供装置。
【発明の詳細な説明】
【技術分野】
【０００１】
本発明は、例えば遊技台毎に設置された呼び出しランプの表示本体装置（表示部）に表示された遊技台に関する各種情報を二次元コード化して表示し、遊技者が所持しているカメラ付携帯電話の読取操作部を操作することによって容易に入手できるようにした遊技台情報提供装置に関する。
【背景技術】
【０００２】
パチンコ店においては、遊技者に対し、遊技台情報（特賞確率や出玉率及び特賞発生回数や発生履歴等）を情報提供するサービスが行われている。この遊技台情報を提供するサービスは、遊技者が遊技台を選択する際の有力な情報源となる。例えば遊技台情報を提供するサービスの装置は、大型の遊技台情報開示装置として、入口付近に１台乃至２台設置され、遊技者はこの遊技台情報開示装置の操作部を操作して必要な情報をメモ書きやプリントアウトして入手していた。
閉店（間際）時、上記した大型の遊技台情報開示装置から遊技情報を入手するには、列に並ばなくてはならず面倒で不便であった。この大型の遊技台情報開示装置は高価なため遊技店においては導入費用（価格）がかかっていた。
また、昨今の呼び出しランプにおいては、表示本体装置に表示部（液晶表示部）を備えたものも提供され、該表示本体装置の表示部に遊技台の各種情報が表示されるようになってきている。
【０００３】
ところで、携帯電話においては目覚しい技術発展により、様々の機能を有したものが提供され、昨今の携帯電話においては、カメラ付携帯電話も急速に普及している。
例えば、携帯電話を利用し、所持している遊技者に遊技台情報を伝送するものが、下記の特許文献に開示されている。
【０００４】
【特許文献１】特開２０００−７９２６４号公報
【０００５】
上記した特許文献１の遊技場における情報提供システムは、「遊技情報管理装置に接続されるとともに、携帯電話から発信される個別情報番号の電波を受信する基地局を具備し、基地局の通信エリア内に新たに携帯電話が入った際に、携帯電話の表示部に情報の伝送の要否を選択する選択メニューを表示し、要が選択された場合に、基地局を通じて各種遊技情報データをその携帯電話に伝送する」ように構成されている。
【発明の開示】
【発明が解決しようとする課題】
【０００６】
上記した遊技場における情報提供システムによれば、遊技者が所持する携帯電話に、各種情報データが伝送されるため、携帯電話を所持している遊技者に平等に各種データが提供されるようになる。しかし、遊技者が必要としない余計な遊技台の情報データも伝送されるため、携帯電話にて情報を整理するのが面倒で、大変な作業となっていた。
そのため、遊技者側から必要とする好みの遊技台情報のみ、自分の操作で情報が入手できるように要望されていた。また、遊技店側においても遊技者への更なるサービス向上のため遊技者（会員）の個人情報を入手したいと要望されていた。
さらに、遊技者が閉店間際に大当たりが発生した場合、翌日の遊技台予約ができるよう、遊技店側はチケット等を発行して配布するが遊技者は紛失する恐れがあった。
【０００７】
本発明は、以上の点に鑑みなされたもので、遊技客側が所持している携帯電話の機能を利用して呼び出しランプ（小型端末装置等）から遊技台に関する遊技台情報を入手することを可能とし、また遊技店側も遊技者の所持している携帯電話により個人情報を入手することを可能にした、呼び出しランプ若しくは小型端末装置と携帯電話相互に伝送する遊技台情報提供装置を提供することを目的としている。
【課題を解決するための手段】
【０００８】
上記目的は、遊技島に設置された呼び出しランプの表示部に、遊技台に関する各種情報を二次元コードにより作成して前記表示部に表示する、構成としたことによって達成される。
【０００９】
上記目的は、遊技台毎に設置された呼び出しランプの表示本体装置に表示部とＱＲボタンとＣＣＤカメラが設けられ、該表示部に表示される遊技台に関する各種情報を、遊技者が所持している携帯電話に伝送する遊技台情報提供装置であって、
前記表示部に、遊技台に関する各種情報を二次元コードにより作成した遊技台情報を表示し、遊技者がカメラ付携帯電話の読取操作部を操作することによって、遊技台情報が携帯電話の制御部に伝送して記憶する、構成としたことによって達成される。
【００１０】
上記目的は、遊技台毎に設置された呼び出しランプの近接した位置に、該呼び出しランプと接続した小型端末装置を設け、該小型端末装置は表示部とＱＲボタンとＣＣＤカメラが設けられ、該表示部に表示される遊技台に関する各種情報を、遊技者が所持している携帯電話に伝送する遊技台情報提供装置であって、
前記表示部に、遊技台に関する各種情報を二次元コードにより作成した遊技台情報を表示し、遊技者がカメラ付携帯電話の読取操作部を操作することによって、遊技台情報が携帯電話の制御部に伝送して記憶する、構成としたことによって達成される。
【００１１】
上記目的は、呼び出しランプ若しくは小型端末装置と携帯電話相互に伝送する遊技台情報提供装置であって、前記呼び出しランプの表示本体装置若しくは前記小型端末装置にＣＣＤカメラを設け、該ＣＣＤカメラによって遊技者が所持している携帯電話の個人情報を、表示本体装置若しくは小型端末装置の制御部に伝送する、構成としたことによって達成される。
【発明の効果】
【００１２】
本発明の構成によれば、遊技者が必要とする好みの遊技台情報を入手する際は、遊技台に行き、遊技台毎の上方に設置された呼び出しランプの表示本体装置（表示部）に表示された二次元コード化（ＱＲコード）を、所持している携帯電話のカメラを向けて操作すると、読取ったデータが制御部に記憶される。その結果、遊技者は容易に、しかも短時間のうちに遊技台情報を素早く入手することができるため、今までのように閉店時においても大型の遊技台情報開示装置に並ばずに済むため、遊技者に対してサービス向上となる。
また、呼び出しランプの近接した位置に、接続して設けた小型端末装置の表示部にも同様の二次元コード化（ＱＲコード）を表示することにより、遊技店は今まで設置していた呼び出しランプをそのまま使用することが出来るため、新規の呼び出しランプを購入することなく、遊技者に遊技台情報を提供することができる。
さらに、呼び出しランプの表示本体装置若しくは小型端末装置にＣＣＤカメラを設け、遊技者が所持している携帯電話の個人情報を、ＣＣＤカメラで読取り内部の制御部に伝送して記憶させておくことにより、店員が遊技者を特定（携帯電話にて認識）することができる。
例えば、閉店時大当たりが発生した遊技者の携帯電話の個人情報を制御部に伝送しておき、翌日の遊技台予約サービス等の時、制御部で記憶している個人情報と認識（照合）し合うことによって店員は前日大当たりした遊技者を容易に特定することができる。
【発明を実施するための最良の形態】
【００１３】
以下、図面に示した実施形態を詳細に説明する。
図１は本発明の呼び出しランプを示す正面図であり、図２は呼び出しランプの表示部に          ＱＲコード画面を表示した正面図であり、図３は呼び出しランプの近接した位置に接続して設けた小型端末装置の表示部にＱＲコード画面を表示した正面図であり、図４は折り畳み式の携帯電話を開放した状態を示す斜視図であり、図５は携帯電話を折り畳んだ状態を示す斜視図である。
【実施例１】
【００１４】
始めに、本発明の呼び出しランプ１０の構成について説明するが、本実施形態の呼び出しランプの構成（種々表示する機能、取付け位置等）に限定されるものでない。例えば図３の今までの構成の呼び出しランプ１０でも良い。
通常、呼び出しランプ１０は、遊技店の各遊技島に配設された遊技台５の上方位置（幕板付近のランプ板）に取付けられている。各遊技台５に隣接して遊技媒体を貸出すために遊技媒体貸出機７が配設されている。
図１に示す呼び出しランプ１０の筐体１１の表示本体装置１５Ａには、中央に遊技台情報を示す表示部１４が設けられている。また、データボタン１３ａとＣＡＬＬボタン１３ｂも設けられている。
該表示本体装置１５Ａの両側には透明のランプカバー１２が上下二段に設けられ、該ランプカバー１２の内部のランプは、制御部の制御によって点灯、点滅するようになっている。内部のランプは、色彩（赤、緑色等）によって色彩を施した複数のランプが各々設けられている。上記した複数のランプカバー１２は、遊技台の大当たり信号（大当たり中や確立変動中）に基づいて点灯、点滅するように内蔵された制御部（図示せず）にて制御される。
【００１５】
上記した表示部１４は、遊技者が必要に応じてデータボタン１３ａを操作することによって様々な遊技台情報の内容が表示画面として切替わって表示される。また、ＣＡＬＬボタン１３ｂを操作することによってランプカバー１２が点灯し、遊技者が店員を呼び出す際（例えば、表台のトラブル、玉箱要求等）、操作する。
【００１６】
表示部１４には、遊技台情報の内容が表示される。ここでの表示部１４は、液晶表示部から成り、該液晶表示部に遊技台情報が表示される。表示部１４の遊技台情報は、遊技者が遊技台を選択する際の有力な情報源となる。
ここでの表示部１４の内容は、上段に「本日の大当たり回数」「前日」「前々日」に発生した大当たり回数表示１６ａが表示され、中段に「確立変動した回数、遊技台のスタートチェッカーに入賞した数、スタート回数」の確変・スタート回数表示１６ｂが各々表示され、下段には、上記各々の回数をグラフ化したドット表示１６ｃが表示される。
遊技者が前日、前々日の大当たり回数データを見たい場合は、データボタン１３ａを操作することによって、上段の大当たり回数表示１６ａに順次可変して表示される。例えば、遊技者がデータボタンを１回操作すると前日のデータが表示され、２回操作すると前々日のデータが表示され、３回操作すると元の本日のデータが表示される。
【００１７】
なお、図示しないが、他に表示部の内容としては、上段に「本日の大当たり回数」「前日」「前々日」に発生した大当たり回数が表示され、中段に「本日の小当たり回数」「前日」「前々日」に発生した大当たり回数が表示され、下段に「確立変動した回数、遊技台のスタートチェッカーに入賞した数、スタート回数」を各段で表示させたものでも良い。
上記した表示部の内容に限定されず、また、ここでの表示部は、液晶表示部として説明したが、他の７セグメントのＬＥＤ（発光ダイオード）によって数値表示させたものでも良く限定するものでない。
【００１８】
上記表示部１４に表示した遊技台情報（「本日の大当たり回数」「前日」「前々日」「確立変動した回数」「スタート回数」は、内部の制御部（ＣＰＵ）の記憶回路（メモリ）にて記憶されている。データボタン１３ａの操作に応じて記憶回路から駆動回路を経て要求された日のデータが表示される。
【００１９】
始めに、第一実施形態について説明する。
第一実施形態の呼び出しランプ１０には、上記した構成に加え、さらに特徴となる新たな構成が備えられている。図１及び図２に示すように表示本体装置１５ＡにＱＲボタン１３ｃとＣＣＤカメラ１９が設けられている。
図１に示すように、通常時においては表示部１４にグラフ化したドット表示１６ｃが表示されているが、該ＱＲボタン１３ｃを遊技者が操作するとＱＲコード化した表示画面に切替わる。即ち、表示部１４に表示した「本日の大当たり回数」「前日」「前々日」「確立変動した回数」「スタート回数」のデータをＱＲコード化して表示させている（図２参照）。
該ＱＲコード（二次元コード）は、略正方形の形状から成り、縦、横二方向に情報を持つことが出来、多くの情報量（大容量、例えば二千文字程度）を取扱うことが出来、データ領域内のセル数の数で大きさが設定され、ここではドット表示部の大きさに収まるように表示される。
【００２０】
上記したように遊技者がＱＲボタン１３ｃを操作すると表示部１４のドット表示１６ｃ画面からＱＲコード画面１７に切替わり、後述する携帯電話２０の機能を用いて遊技台情報を入手することが出来る。
図２に示したＱＲコードデータ１８は、「本日の大当たり回数」「確立変動した回数」「スタート回数」のデータと、「前日の大当たり回数」「確立変動した回数」「スタート回数」のデータと「前々日の大当たり回数」「確立変動した回数」「スタート回数」の三日分のデータをＱＲコードデータ１８として表示したものである。
ここでは三日分の遊技台情報としてのデータを表示する説明としたが、一週間分、十日分の遊技台情報としてのデータをＱＲコードデータとして記憶させ、順次表示させるようにしても良く、また、この呼び出しランプから他の遊技台の遊技台情報も入手できるようにしても良い。なお、図２及び図３に示した各ＱＲコードデータはイメージしたものであり、遊技台情報のデータは読み取れない。
【００２１】
次に、第二実施形態について説明する。なお、上記第一実施形態と同じ構成については同じ符号を用いて説明する。
ここでは、遊技店が今まで設置していた呼び出しランプ１０をそのまま使用することが出来る構成としたもので、図３に示すように呼び出しランプ１０の近接した位置に例えば正方形から成る小型端末装置１５Ｂの構成とした。ここでの呼び出しランプ１０と小型端末装置１５Ｂとは信号配線にて接続されている。そのため、呼び出しランプ１０の制御部に記憶された三日分の遊技台情報のデータが小型端末装置１５Ｂの表示部１４にＱＲコードデータ１８として表示される。ＱＲコードデータ１８を表示するにあたってはＱＲボタン１３ｃを操作すると画面が切替わる。
該小型端末装置１５Ｂには上記同様の表示部１４とＱＲボタン１７の他にＣＣＤカメラ１９も設けられている。よって、遊技店においては小型端末装置１５Ｂのみの購入で遊技者に遊技台情報を提供することができるため、導入費用が安価で済む。
【００２２】
次に、第三実施形態について説明する。なお、上記第一実施形態と同じ構成については同じ符号を用いて説明する。上記した第一実施形態と第二実施形態と異なる構成のみ説明する。なお、ＱＲボタン１３ｃとＣＣＤカメラ１９は省略している。
ここでは、遊技店の遊技島に設置した遊技台５に小型端末装置１５Ｃを着脱自在に設けた構成としたもので、図３に示すように遊技台５の上方右側の片隅の位置に例えば略三角形から成る小型端末装置１５Ｃの構成とした。ここでの小型端末装置１５Ｃは、呼び出しランプ１０（遊技台５）と信号配線にて接続されている。そのため、呼び出しランプ１０（遊技台５）の制御部に記憶された三日分の遊技台情報のデータが小型端末装置１５Ｃの表示部１４にＱＲコードデータ１８として表示される。
【００２３】
次に、上記第一実施形態と第二実施形態において呼び出しランプの表示本体装置若しくは小型端末装置に設けたＣＣＤカメラ１９について説明する。
図２及び図３に示すようにＣＣＤカメラ１９が内蔵されている。また、該ＣＣＤカメラ１９から読み取った携帯電話２０の個人情報データを伝送して記憶させておく制御部が表示本体装置若しくは小型端末装置の内部に設けられている。
このようにＣＣＤカメラ１９を設けることによって、遊技者が所持している携帯電話２０の個人情報データを、ＣＣＤカメラ１９で読取り制御部に伝送して記憶させておくことが出来る。そのため
店員が遊技者を特定（携帯電話にて認識）することが容易に行える。その結果、遊技店側も遊技者の所持している携帯電話２０により個人情報を入手することが可能になる。
例えば、閉店時大当たりが発生した遊技者の携帯電話２０の個人情報を制御部に伝送しておき、翌日の遊技台予約サービス等の時、制御部で記憶している個人情報と認識（照合）し合うことによって店員はチケット以外でも前日大当たりした遊技者を特定することが出来る。また、遊技店はチケットを発行せず、遊技者もチケットを所持しなくても済む。
【００２４】
次に、本発明の呼び出しランプ１０の表示部１４に表示したＱＲコードデータ１８を読み取る携帯電話２０について説明する。ここでは、昨今提供されているカメラ付携帯電話にＱＲコード（バーコード）読取機能を備えたものを利用して行う。図４は折り畳み式の携帯電話を開放した状態を示す斜視図であり、図５は携帯電話を折り畳んだ状態を示す斜視図である。なお、ここでの携帯電話２０の機能や構成（機種やメーカ）に限定されるものでなく、ＱＲコード（バーコード）読取機能を備えたものであれば良い。
【００２５】
例えば、ここでの携帯電話２０は、略中央の回動部２３にて折り畳み式に開閉自在に構成されている。携帯電話２０の本体部は、表示部側筐体２２と操作部側筐体２４とから成している。
表示部側筐体２２には、基地局（図示せず）からの電波を受信する延び縮むアンテナ２２ｄと、受信した電波を復調し、発呼側で作られたベースバンド信号に再生する無線部と、受信ベースバンド信号に含まれるデータ情報を再生するベースバンド部と、受話器であるレシーバ２２ｃと、種々の情報を液晶画面に表示するメイン表示部２２ａと、折り畳んだ時でも表示できるサブ表示部２２ｂが設けられ、撮影するためのカメラ２２ｅが内蔵された構成から成している。
一方、操作部側筐体２４には、送話器であるマイク２４ｃと、モード切替操作部２４ａやテンキー２４ｂ（０から９迄の数字、ひらがな、英字キー）等の操作部と、側面側に撮影モードの操作を行う撮影スイッチ２４ｄと、読取操作部であるシャッタースイッチ兼用のシャッタースイッチ２４ｅが設けられ、内部には各部の制御、記憶処理、画像データ変換処理等を行う制御部２５が組み込まれた構成と成している。
【００２６】
上記した携帯電話２０においては、ＱＲコード（バーコード）読取機能が備えられ、モード切替操作部２４ａの操作によってＱＲコードデータ１８をカメラ２２ｅにて読取ることができ、取込んだＱＲコードデータは、制御部２５の記憶回路２６に記憶され、液晶画面のメイン表示部２２ａに変換処理後表示される。このメイン表示部２２ａではＱＲコード化から読み取った内容が（例えば、本日、前日、前々日の遊技台情報や新台入替え情報等）として表示されることにより、遊技者が読み取ることができる。
【００２７】
以上、説明した本発明（第一実施形態）の呼び出しランプ１０の表示部１４に表示されたＱＲコードデータ１８を、遊技者が所持しているカメラ付携帯電話２０に取込む作用（動作）について説明する。
例えば、閉店近くになり、遊技者が好みの遊技島の遊技台５の遊技台情報のデータを入手するにあたっては、遊技台５に上方位置に取付けられている呼び出しランプ１０に出向き、呼び出しランプ１０のＱＲボタン１３ｃを操作すると、グラフ化したドット表示１６ｃの画面からＱＲコード表示画面１７に切替わる。表示されたＱＲコード表示画面１７に携帯電話２０のカメラ２２ｅ側を近づけて読取操作部２４ｅにて読取り操作を行うことにより、本日、前日、前々日分の三日分の遊技台情報が一度の取り込み作業にて入手することが出来る。読み取った情報のデータは、制御部２５の記憶回路２６に記憶保存される。
その結果、閉店近くであっても所持している携帯電話２０のカメラ２２ｅを向けて操作するだけで容易に、しかも短時間のうちに遊技台情報を入手することができる。
【図面の簡単な説明】
【００２８】
【図１】本発明の呼び出しランプを示す正面図である。
【図２】本発明の呼び出しランプの表示部にＱＲコードを表示した正面図である。
【図３】呼び出しランプの近接した位置に接続して設けた小型端末装置の表示部にＱＲコード表示画面を表示した正面図である。
【図４】折り畳み式の携帯電話を開放した状態を示す斜視図である。
【図５】携帯電話を折り畳んだ状態を示す斜視図である。
【図６】携帯電話の構成を示すブロック図である。
【符号の説明】
【００２９】
５      遊技台
１０    呼び出しランプ
１３ａ  データボタン
１３ｂ  コールボタン
１３ｃ  ＱＲボタン
１４    表示部
１５Ａ  表示本体装置
１５Ｂ  小型端末装置（近接設置型）
１５Ｃ  小型端末装置（遊技台設置型）
１７    ＱＲ表示画面
１８    ＱＲコードデータ
１９    ＣＣＤカメラ
２０    携帯電話
２２ｅ  カメラ
２４ｅ  シャッタースイッチ（読取操作部）
２５    制御部
【図１】
2005185604.tif 000003
【図２】
2005185604.tif 000004
【図３】
2005185604.tif 000005
【図４】
2005185604.tif 000006
【図５】
2005185604.tif 000007
【図６】
2005185604.tif 000008